(57)【要約】  【課題】安価で且つ所要の固着強度を備えたビンテージタイプの金属製務歯と、同務歯を用いたスライドファスナーを提供する。  【解決手段】スライドファスナー(10)に用いる金属製のスライドファスナー用務歯(12)であって、務歯(12)の胴部(78)の下方から左右に分岐して形成される一対の脚部(80)の形状を、板状挟着部(82)と脚部側壁(84)とから構成されるＬ字型断面形状に形成し、板状挟着部(82)には、ファスナーテープ(16)の一側縁部を表裏から挟着するための切欠き部(85,86) を備え、脚部側壁(84)の、ファスナーテープ(16)の一側縁部と対向する脚部内壁面(88)に、少なくとも一つの突起部(90a,90b,90c) を設けた。  【選択図】図３
2008212352.tif 000002
【特許請求の範囲】
【請求項１】
頭部(76)と胴部(78)と当該胴部(78)から左右に分岐してファスナーテープ(16)の一側縁部に挟着される一対の脚部(80)とが一体に形成された金属製のスライドファスナー用務歯(12)であって、
前記一対の脚部(89)は、板状挟着部(82)と、当該板状挟着部(82)の左右外側側縁からそれぞれ直角に立ち上がる脚部側壁(84)とを有するＬ字型断面形状に形成されてなり、
前記板状挟着部(82)は、ファスナーテープ(16)の一側縁部を表裏から挟着するための切欠き部(85,86) を有しており、
前記脚部側壁(84)の、ファスナーテープ(16)の前記一側縁部と対向する脚部内壁面(88)に、少なくとも一つの突起部(90a,90b,90c) が設けられてなる
ことを特徴とするスライドファスナー用務歯(12)。
【請求項２】
前記脚部側壁(84)の脚部外壁面(94)に、スライドファスナー(10)用スライダー(20)のフランジの内面と接触する摺動面を有してなることを特徴とする請求項１記載のスライドファスナー用務歯(12)。
【請求項３】
前記突起部(90a,90b,90c) は、前記ファスナーテープ(16)の長手方向と平行に延びるリブ形状に形成されてなることを特徴とする請求項１又は２に記載のスライドファスナー用務歯(12)。
【請求項４】
前記突起部(90a,90b,90c) は、前記一対の脚部側壁(84)の対向部分にそれぞれ形成されてなることを特徴とする請求項１又は２に記載のスライドファスナー用務歯(12)。
【請求項５】
前記突起部(90a,90b,90c) が突出する側の面とは反対側の脚部側壁(84)の脚部外壁面(94)に、外壁凹部(92)が設けられてなることを特徴とする請求項１又は２に記載のスライドファスナー用務歯(12)。
【請求項６】
前記請求項１又は２に記載のスライドファスナー用務歯(12)が適用されてなることを特徴とするスライドファスナー(10)。
【発明の詳細な説明】
【技術分野】
【０００１】
本発明は、スライドファスナーのファスナーテープ側縁部に挟着される金属製の務歯の構造、並びにその務歯を備えたスライドファスナーに関する。
【背景技術】
【０００２】
衣服や鞄の開閉に用いるスライドファスナーとして、射出成形により得られる合成樹脂製の務歯や同じく合成樹脂製のコイル状又はジグザグ状に連続する務歯をファスナーテープに成形一体化又は縫着一体化したものが実用に供されている。その一方で、デザイン面における特徴や、質感、重厚感を表現するために、務歯に金属の素材を用いたスライドファスナーも種々提供されており、この金属製務歯の素材として洋白や真鍮、アルミニウム等の圧延材、若しくは鋳造材を用いたものが知られている。
【０００３】
務歯の素材に金属を用いたスライドファスナーの中には、ファスナーテープに１００％綿糸を使用するとともに務歯や下止等に洋白材のプレス品を用いた１００年近く前の古いタイプの製品や、軍用品規格を満たす製品も存在する。これらの古いタイプのスライドファスナーの一部は、ビンテージタイプのスライドファスナーと呼ばれ、その歴史的価値や外観上の特徴から民生用の用途としてもマニアの間で人気があり、現在でも活発に取引されている。
【０００４】
軍用規格品のスライドファスナーは、使用条件や環境条件に対する保証のみならず、原料の品質や製造工程に至るまで、細かく民製品以上の仕様を保証するための工程管理と品質管理とを行わなければならず、スライドファスナーの製品価格が大幅に高騰してしまうために、デザイン面を主眼とする民生用の需要に応じることができないでいた。
【０００５】
この種の従来の金属製の務歯を備えたスライドファスナーとして、例えば米国特許明細書第１，６１５，１１３号公報（特許文献１）や、米国特許明細書第１，６５９，４８０号公報（特許文献２）、及び独国特許第４６２６４７号公報（特許文献３）が知られている。これらのスライドファスナーでは、板材をパンチングにより型取りし、その後プレスによる成形工程を経て、ファスナーテープの側縁部に加締めることにより所定の間隔で一列に挟着させる金属製の務歯が用いられている。
【０００６】
特許文献１に記載されているスライドファスナー用の務歯の形状は、相対向するストリンガーに挟着した務歯同士を噛合させるための噛合開口部、又は噛合爪を有する頭部と、ファスナーテープの一側縁部に挟着させるための左右一対の脚部と、当該脚部と前記頭部とを接続するための胴部とから構成されている。また、特許文献３に記載されているスライドファスナー用の務歯の形状は、相手側のストリンガーに挟着した務歯と噛合させるための噛合凹部、及び噛合頸部とを有する頭部と、ファスナーテープの一側縁部に挟着させるための左右一対の脚部と、当該脚部と前記頭部とを接続するための胴部とから構成されている。
【０００７】
特許文献１及び特許文献３に記載されている務歯の脚部は、胴部から左右に分岐して対称に形成されている。この左右一対の脚部は、ファスナーテープの側縁部の表裏から挟み込むための切欠き部を２箇所ずつ有する板状挟着部と、当該板状挟着部から立設した脚部側壁とから構成され、その脚部の断面は略Ｌ字型断面形状を有している。脚部側壁のファスナーテープの側縁と平行な脚部外壁面は、スライドファスナーにおけるスライダーの左右フランジ内面と接触する摺動面となり、略平面を形成している。
【０００８】
また、特許文献２に記載されているスライドファスナー用の務歯の形状は、相手型のストリンガーに挟着した務歯同士を噛合させる頭部と、ファスナーテープの側縁部を表裏から挟み込むための左右一対の脚部と、当該脚部と前記頭部とを接続するための胴部とから構成されている。また左右一対の脚部の板状挟着部は、ファスナーテープの側縁部に設けられている２列の芯紐を挟み込むための切欠き部を２箇所ずつ有しているが、板状挟着部には脚部側壁が形成されておらず、したがって、脚部は平板状でありＬ字型断面形状には形成されていない。
【特許文献１】米国特許第１，６１５，１１３号明細書（特許日：1.18.'27)
【特許文献２】米国特許第１，６５９，４８０号明細書（特許日：2.14.'28)
【特許文献３】独国特許第４６２６４７号公報（特許日：7.14.'28)
【発明の開示】
【発明が解決しようとする課題】
【０００９】
特許文献１、特許文献２及び特許文献３に記載されているようなスライドファスナー用務歯の素材は、ファスナーテープに挟着させた際の固着力を確保するために、銅を基材として亜鉛とニッケルとを添加した洋白と呼ばれる合金の圧延板材から形成するのが一般的である。務歯の素材として洋白を用いると、その洋白材の持つ物性により、対環境面及び耐久性、横引力、及び突上力等に関する規格を満たすことが容易となる。
【００１０】
しかし、洋白はニッケルを含む合金であるために素材自体が高価であるとともに、素材自体の引張の降伏点が高いことに起因して、加工用に硬度の高いダイやプレス型を用いなければならず、スライドファスナーの製品価格が高価になってしまう。したがって、務歯の素材に洋白を用いると、ビンテージタイプのスライドファスナーを民生用として普及させることが難しいという不具合を生じていた。
【００１１】
しかし、洋白を素材としたビンテージタイプのスライドファスナーの務歯を、スライドファスナーの価格低減のために、形状はそのままで、素材のみを真鍮等の降伏点が低い素材に置き換えると、ファスナーテープを挟持する一対の脚部が開きやすくなり、ファスナーテープに対する務歯の固着強度が弱くなる可能性がある。
【００１２】
務歯の固着強度が弱くなると、噛合しているスライドファスナーに横引力を加えた場合や突上力を加えた場合に、務歯が開き気味になったり、ファスナーテープに対して務歯が傾いたり、ファスナーテープから務歯がずれたり、務歯がファスナーテープから外れたりする不具合が発生することになる。
【００１３】
本発明は、上記の問題点を解決するために創出されたもので、従来は高価であったビンテージタイプのスライドファスナーを安価に提供すると同時に、そのファスナーテープに対する固着力を高めた金属製務歯を提供することを目的としている。
【課題を解決するための手段】
【００１４】
前述の目的を達成すべく、本発明に係るスライドファスナー用務歯の基本的構成は、頭部と胴部と当該胴部から左右に分岐してファスナーテープの一側縁部に挟着される一対の脚部とが一体に形成された金属製のスライドファスナー用務歯であって、前記一対の脚部は、板状挟着部と当該板状挟着部の左右外側側縁からそれぞれ直角に立ち上がる脚部側壁とを有するＬ字型断面形状に形成されており、前記板状挟着部は、ファスナーテープの一側縁部を表裏から挟着するための切欠き部を有し、前記脚部側壁の、ファスナーテープの前記一側縁部と対向する脚部内壁面に、少なくとも一つの突起部が設けられていることを特徴としている。
【００１５】
好ましい態様として、前記脚部側壁の前記突起部が突出する面とは反対側の脚部外壁面を、スライドファスナー用スライダーのフランジの内面と接触する摺動面とすることができ、前記突起部を、前記ファスナーテープの側縁と平行に延びるリブ形状に形成してもよい。また、前記突起部は、前記一対の脚部側壁の対向部分にそれぞれ形成することができ、前記突起部が突出する面とは反対側の脚部外壁面に、外壁凹部を設けることもできる。
【発明の効果】
【００１６】
本発明に係るスライドファスナー用務歯は、脚部側壁の脚部内壁面に少なくとも一つの突起部を設けたので、従来では上記特許文献３にあるように、左右脚部のテープ挟着部に形成された円弧形の切欠き部でファスナーテープの側縁に沿って設けられた芯紐を挟持しているだけであったのに対して、本発明では芯紐を前記円弧状切欠き部をもって挟持すると同時に、前記突起部が円弧状切欠き部から膨出する部分を強く押圧変形させてアンカー効果を発揮する。これにより、務歯のファスナーテープに対する固着強度が高まり、ファスナーテープ上でずれたり、ファスナーテープから外れる不具合を防止することができる。
【００１７】
したがって、たとえ務歯の加締め圧のばらつきや、ファスナーテープの厚さのばらつき、芯紐直径のばらつき等の要因があったとしても、ファスナーテープに対する務歯の固着力を所定の値以上に保つことが可能となり、耐横引力や耐突上力を大きく向上させることができる。例えば、務歯の素材として洋白の代わりに真鍮のような降伏点が低い素材を用いた場合であっても、洋白と同等以上の耐横引力や耐突上力を得ることができる。
【００１８】
これにより、従来は洋白を用いていた務歯に、真鍮の圧延材ような降伏点が低くて延性に富んだ金属素材を用いることが可能となる。そして、務歯を形成する際に用いるプレス金型や、務歯をファスナーテープに挟着させる際に用いる植付け機のダイや金型等の消耗部品の保守が容易になるとともに、これら消耗品の寿命を長くすることができる。よって、スライドファスナーを安価にて提供することが可能となる。
【００１９】
また、脚部内壁面に形成した突起部を、ファスナーテープの側縁と平行に延びるリブ形状に形成する場合には、務歯が広範囲でファスナーテープをしっかり押さえることができる。これにより、務歯がファスナーテープ上で滑ったり、傾いたりする不具合が防止される。また、前記突起部を、一対の脚部側壁の対向部分にそれぞれ形成する場合には、芯紐を表裏で挟持するため、より確実に且つ強固に務歯をファスナーテープの側縁部に固着することが可能となる。
【００２０】
更に、突起部の突出面とは反対側の脚部外壁面に、外壁凹部を設けることによって、この外壁凹部に挟着用の工具を押し当てて、務歯を安定した位置決め状態で保持しながらファスナーテープに挟着させることができ、より確実に務歯をファスナーテープに挟着せることが可能となる。また、前記外壁凹部を設けることによって、スライダーのフランジの内面との接触面積を減少させることができ、スライダーの滑りが良好となり操作性が向上するため、スライドファスナーの開閉操作が容易となる。
【発明を実施するための最良の形態】
【００２１】
以下、本発明に係る務歯とその務歯を用いたスライドファスナーの代表的な実施形態について、図面を参照しながら具体的に説明する。
【００２２】
図１は、スライドファスナー１０の務歯１２がスライダー２０を通過するときのスライダー胴体の内部の状態で示している。図２及び図３は、本発明に係る務歯１２を表面側から見た斜視図と裏面側から見た斜視図である。なお、図２及び図３に示す務歯１２の形状は、ファスナーテープ１６に挟着させる前の、脚部がまだ開いている部品単体の状態を示している。また、図４は、ファスナーテープ１６の側縁部に務歯１２を一列に固着させた状態を示す平面図であり、図５は、図４に示したＶ−Ｖ線に沿った矢視断面図であり、ファスナーテープ１６に対する務歯１２の挟着状態を示している。
【００２３】
図１に示すように、スライドファスナー１０は、ファスナーテープ１６の側縁部に金属製の務歯１２を所定の間隔で一列に挟着して形成した左右一対のファスナーストリンガー１８と、左右一対の務歯１２同士を噛合・離脱させるスライダー２０とを備えている。
【００２４】
スライダー２０は、内部に左右のファスナーストリンガー１８の務歯１２が挿通する案内通路２０ａを有しており、スライダー２０を務歯列に沿って摺動させることにより、対向する務歯１２を噛合又は離脱させることができる。案内通路２０ａは、上下方向に対して配置された上板（図示せず）と下板２０ｂと、上板と下板２０ｂとの前端部を連結する連結柱２０ｃと、上板と下板２０ｂの左右側縁に沿って形成され、対向する下板２０ｂ又は上板に向けて突出するフランジ２０ｄとで囲まれたＹ字状通路に形成されている。
【００２５】
次に、本発明に係る務歯の形状について、図２及び図３を用いて説明する。図２及び図３に示すように、務歯１２は、頭部７６と胴部７８と左右一対の脚部８０とから構成されている。
【００２６】
務歯１２の頭部７６は、ファスナーテープ１６の縁部から外方へ突出しており、ファスナーテープ１６の長さ方向の一方面側に、左右一対の噛合爪７０，７０を突設するとともに、噛合爪７０，７０の間に噛合凹部７２を形成し、上記一方面側とは反対側の他方面側に噛合凹部７２と嵌り合う嵌合突起７４を設けている。
【００２７】
図２及び図３に示した務歯の頭部形状は、前述の特許文献２に記載されている噛合頭部と実質的に同じ形状を用いているが、本発明に係る務歯の頭部形状は、図２及び図３に示した頭部形状に限定するものではなく、前述の特許文献１又は特許文献３に記載されている頭部形状や、その他の頭部形状を採用することができる。
【００２８】
務歯１２の脚部８０は、胴部７８の下方から左右に分岐して形成される。この左右一対の脚部８０には、特許文献１及び３に記載された務歯脚部と同様に、ファスナーテープ１６の一側縁部に挟着させる板状挟着部８２，８２と、この板状挟着部８２，８２の左右外側側縁からそれぞれ直角に立ち上がる脚部側壁８４，８４とが形成され、一対の脚部８０の断面は対称なＬ字型断面形状に形成されている。
【００２９】
一対の板状挟着部８２，８２には、ファスナーテープ１６の一側縁部に形成されている２列の芯紐を表裏からそれぞれ挟着するための一対の切欠き部８５，８６を形成している。この２つの切欠き部８５，８６は、脚部８０の長手方向に連続して２つ形成されており、それらの切欠き部８５，８６の中間部分と、胴部に対して遠方に形成された切欠き部８６の脚部先端部分とには、それぞれ各芯紐１４，１５を挟み込みながらファスナーテープ１６を押さえるための内爪９５及び外爪９６が形成されている。ここで、本発明にあっては、ファスナーテープ１６の一側縁部に接触する脚部内壁面８８に、芯紐を挟み込むための、少なくとも一つの突起部９０ａ，９０ｂ，９０ｃ設けてある点を特徴としている。
【００３０】
脚部側壁８４の脚部外壁面９４は、スライダー２０のフランジ内面と接触する摺動面として機能する面である。本実施形態にあっては、脚部外壁面９４における突起部９０ａ，９０ｂ，９０ｃが形成されている側とは反対側の表面の少なくとも一部に、外壁凹部９２を更に設けている。
【００３１】
このように、前記脚部外壁面９４に外壁凹部９２を設けることによって、務歯１２をファスナーテープ１６の側縁部に挟着させる加締め工程で、脚部外壁面９４を押圧する際に、務歯１２の位置決めが容易となり、より正確に務歯１２をファスナーテープ１６の側縁部に植え付けることが可能となる。また、脚部外壁面９４の少なくとも一部に外壁凹部９２を設けることによって、デザイン面からスライドファスナー１０の外観に美観を与えるとともに、スライダー２０のフランジ内面と脚部外壁面９４との間に生ずる摺動抵抗を減少させて、スライドファスナー１０をスムーズに開閉することができる。
【００３２】
図２及び図３に示す実施形態では、脚部内壁面８８に設けた突起部９０ａ，９０ｂ，９０ｃを、ファスナーテープ１６の側縁と平行に延びるリブ形状に形成しているが、本発明は突起部９０ａ，９０ｂ，９０ｃをリブ形状に限定するものではなく、円錐状若しくは角錐状の突起部、円柱若しくは角柱状の突起部、又はその他の凹凸形状に形成してもよい。また、リブ形状の突起部９０ａ，９０ｂ，９０ｃを、ファスナーテープ１６の幅方向に延びる形状に形成するとも可能である。
【００３３】
また、図２及び図３に示す実施形態では、脚部内壁面８８に設けた突起部９０ａ，９０ｂ，９０ｃを、一対の脚部側壁８４の対向部分にそれぞれ形成しているが、本発明は突起部９０ａ，９０ｂ，９０ｃを脚部側壁８４の対向部分にそれぞれ形成する実施形態に限定するものではなく、相対する突起部９０ａ，９０ｂ，９０ｃを千鳥状に配置してもよいし、突起部９０ａ，９０ｂ，９０ｃを一方の脚部８０の脚部内壁面８８のみに設けるようにすることもできる。
【００３４】
次に、図４及び図５を参照して、ファスナーテープ１６に対する務歯１２の挟着状態を説明する。これらの図に示す実施形態では、ファスナーテープ１６の側縁部には、務歯１２に形成されている円弧形状の切欠き部８５，８６と係合する２列の芯紐１４，１５を設けている。この芯紐１４，１５のそれぞれに対して、一対の切欠き部８５，８６を押し当てることにより、務歯１２をファスナーテープ１６に位置決めしている。
【００３５】
また、図４及び図５に示すように、ファスナーテープ１６における芯紐１４と芯紐１５との境目には、谷部２４が形成され、芯紐１５とファスナーテープ１６との境目には変曲部２５が形成されており、この谷部２４及び変曲部２５のそれぞれに、務歯１２の各切欠き部８５，８６の端部に形成されている内爪９５及び外爪９６が係合する。
【００３６】
従来の務歯は、一対の切欠き部８５，８６及び内爪９５、外爪９６を用いて、芯紐１４，１５を挟み込むことにより務歯をファスナーテープ１６の側縁部に挟着していたので、スライドファスナーに横引力が加わった場合や突上力が加わった場合に、務歯の内爪９５及び外爪９６が芯紐１４，１５を乗り越えようとする力が働き、これにより務歯の脚部を開かせるモーメントが大きく加わっていた。したがって、横引力や突上力に対する所要の強度を維持するために、務歯の素材として降伏点が高い材料を用いるか、務歯の胴部の形状を厚く形成する必要があった。これらは、いずれも務歯を成形する際のプレス加工を困難にならしめる要因であるために、スライドファスナーの製品価格が高価なものになってしまい、普及が妨げられていた。
【００３７】
本発明に係るファスナーストリンガー１８では、務歯１２の脚部８０の板状挟着部８２，８２が芯紐１４、１５を挟着することにより、ファスナーテープ１６の長さ方向に隣り合う務歯１２間において、芯紐１４、１５が径方向に膨大化している。本発明では、この膨大化した芯紐１４、１５に対して、務歯１２の脚部側壁８４の脚部内壁面８８に形成した突起部９０ａ、９０ｂ、９０ｃを食い込ませて係合している。これにより、スライドファスナー１０に加わる横引力及び突上力に対する強度を増すことができる。
【００３８】
また、内爪９５よりも胴部７８寄りの脚部内壁面８８に、少なくもと一つの突起部９０ａ，９０ｂを設けて、芯紐１４を固定する力を強めながら、脚部８０を開かせるモーメントを減少させることによっても、横引力及び突上力に対する強度を増すことができる。同様に、外爪９６よりも胴部７８寄りに、少なくもと一つの突起部９０ｃを設けることにより、芯紐１５を固定する力を強めながら脚部８０を開かせるモーメントを減少させ、横引力及び突上力に対する強度を増すことができる。
【００３９】
したがって、務歯１２がファスナーテープ１６に対してずれたり、務歯１２が傾いたり、務歯１２がファスナーテープ１６から外れたりする不具合を防止することができる。これにより、務歯１２の素材として降伏点が低い材料を用いたり、務歯１２の胴部７８の形状を薄く形成することが可能となり、デザイン面での自由度を広げることが可能となるとともに、安価なスライドファスナーを提供することができる。なお、真鍮の外観は黄銅色を呈しているが、メッキによる表面処理を行うことによって、銀色、その他の色、外観に変更することは容易である。
【００４０】
なお、図４及び図５では、ファスナーテープ１６の側縁部に２列の芯紐１４，１５を設けることによって、スライドファスナー１０に要求される横引力を増す構成を示しているが、本発明は２列の芯紐１４，１５を備えた構成に限定するものではなく、１列又は３列以上の芯紐を有するスライドファスナーに適用することが可能である。
【００４１】
次に、本発明に係るスライドファスナー用務歯の突起部に関する他の実施形態について、図６及び図７を用いて説明する。図６は、内爪９５よりも胴部７８寄り脚部内壁面８８の対向部分に、それぞれ１つの突起部９０ｄを形成した実施形態を示す図である。図６に示すように、内爪９５よりも胴部７８寄りに突起部９０ｄを形成することによって、芯紐１４を固定する力を強めて、スライドファスナーの横引力及び突上力に対する強度を増すことができる。
【００４２】
図７は、外爪９６よりも胴部７８寄り脚部内壁面８８の対向部分に、それぞれ微細な鋸歯状の突起部９１を形成した実施形態を示している。同図に示すように、外爪９６よりも胴部７８寄りに前記突起部９１を形成することによって、芯紐１４及び芯紐１５を固定する力を強めて、スライドファスナーの横引力及び突上力に対する強度を増すことができる。なお、突起部９１の平面形状として、筋状、綾目、あるいはポイント状の突起部を用いてもよい。
【産業上の利用可能性】
【００４３】
スライドファスナー用務歯の脚部内壁面に少なくとも一つの突起部を設けてファスナーテープの側縁部を挟み込むことにより、務歯の素材として安価な素材を用いることが可能となり、また、務歯のデザインの自由度を広げることが可能となる。これにより、従来高価であったビンテージファスナーなども、安価にて提供することができる。
【図面の簡単な説明】
【００４４】
【図１】スライダーの胴体を切断した状態のスライドファスナーの平面図である。
【図２】本発明に係る務歯の外側表面から見た斜視図である。
【図３】本発明に係る務歯の内側表面から見た斜視図である。
【図４】ファスナーテープの側縁部に務歯を一列に固着させた状態を示す平面図である。
【図５】図４のＶ−Ｖ線に沿った矢視断面図であり、ファスナーテープに対する務歯の挟着状態を示す。
【図６】本発明の他の実施形態であるファスナーテープに対する務歯の挟着状態を示す一部断面図である。
【図７】本発明の更に他の実施形態であるファスナーテープに対する務歯の挟着状態を示す一部断面図である。
【符号の説明】
【００４５】
１０  スライドファスナー
１２  務歯
１４，１５  芯紐
１６  ファスナーテープ
１８  ファスナーストリンガー
２０  スライダー
２０ａ  案内通路
２０ｂ  下板
２０ｃ  連結柱
２０ｄ  フランジ
２４  谷部
２５  変曲部
７０  噛合爪
７２  噛合凹部
７４  嵌合突起
７６  頭部
７８  胴部
８０  脚部
８２  板状挟着部
８４  脚部側壁
８５，８６  切欠き部
８８  脚部内壁面
９０ａ，９０ｂ，９０ｃ，９０ｄ，９１  突起部
９２  外壁凹部
９４  脚部外壁面
９５  内爪
９６  外爪
【図１】
2008212352.tif 000003
【図２】
2008212352.tif 000004
【図３】
2008212352.tif 000005
【図４】
2008212352.tif 000006
【図５】
2008212352.tif 000007
【図６】
2008212352.tif 000008
【図７】
2008212352.tif 000009